(57)【特許請求の範囲】
【請求項１】
上屋の軒裏に取着される吊下具と横樋本体とからなり、吊下具は水平方向の支持部とその支持部の両端から下方に吊下部が垂下され、吊下部の先端が上方に折り返されて引掛部となされ、横樋本体は両縁部が下方に折り返されて嵌合部となされ、その嵌合部が引掛部に引掛けられてなる簡易上屋用横樋の構造であって、吊下具の吊下部に引掛部と同方向に突出する押さえ片が形成されると共に、横樋本体の嵌合部の内壁に係止部が形成され、嵌合部が押さえ片と引掛部の内壁とで挟まれると共に、引掛部の一部が切り起こされて形成された押さえ片の先端が、嵌合部の内壁に形成された係止部に係止されていることを特徴とする簡易上屋用横樋の構造。
【発明の詳細な説明】
【０００１】
【発明の属する技術分野】
本発明は、シェルター、ポーチ、テラス、カーポート、バス停留所、地下道出入口、渡り廊下、歩行者専用通路、自転車置場等の簡易上屋に使用される横樋の構造に関するものである。
【０００２】
【従来の技術】
従来、かかる簡易上屋用横樋の構造としては、図３に示すごとく横樋本体２´部にネジ孔が穿設された取付片２１´が水平方向に設けられ、その取付片を介して横樋本体が上屋の軒裏にネジ止め固定されるようになされたものが知られている。なお、同図において３は軒樋、３１は軒樋から横樋への排水口を表している。
【０００３】
しかしながら、上記従来の横樋の構造においては横樋本体を上屋の軒裏に押し当てた状態で横樋本体を支えつつ不安定な姿勢のまま軒裏にネジ止めしなければならず、施工に手間がかかるという欠点があった。
【０００４】
【発明が解決しようとする課題】
本発明は、上記の如き横樋本体の施工に手間がかかるという問題点を解決し、施工性に優れた簡易上屋用横樋の構造を提供するものである。
【０００５】
【課題を解決するための手段】
本発明簡易上屋用横樋の構造は、上屋の軒裏に取着される吊下具と横樋本体とからなり、吊下具は水平方向の支持部とその支持部の両端から下方に吊下部が垂下され、吊下部の先端が上方に折り返されて引掛部となされ、横樋本体は両縁部が下方に折り返されて嵌合部となされ、その嵌合部が引掛部に引掛けられてなる簡易上屋用横樋の構造であって、吊下具の吊下部に引掛部と同方向に突出する押さえ片が形成されると共に、横樋本体の嵌合部の内壁に係止部が形成され、嵌合部が押さえ片と引掛部の内壁とで挟まれると共に、引掛部の一部が切り起こされて形成された押さえ片の先端が、嵌合部の内壁に形成された係止部に係止されていることを特徴とするものである。
【０００６】
【０００７】
【０００８】
【発明の実施の形態】
以下、図面を参照しながら本発明簡易上屋用横樋の構造について詳述する。
図１は、本発明を適用した簡易上屋の実施形態例の斜視図であり、雨水は簡易上屋の曲面に沿って軒樋３に入り、軒樋３から横樋本体２に集められ、横樋本体２の端部に接続された縦樋４に導かれて排水される。また、図２は図１の本発明簡易上屋用横樋の構造に係る要部を示す分解構造斜視図であり、図２において、１は本発明に使用される吊下具、２は横樋本体、３は軒樋である。
【０００９】
吊下具１は通常反発弾性を有する鋼等の金属板材、剛性を有する合成樹脂材等からなり、水平方向の支持部１１とその支持部１１両端から下方に吊下部１２が垂下され、吊下部１２の先端が上方に折り返されて引掛部１３となされている。図２の実施形態例の場合においては、吊下部１２の下端が外方に折り返されて引掛部１３となされているが、吊下部１２の下端が内方に折り返されて引掛部１３となされたものであってもよい。
【００１０】
また、吊下具１の吊下部１２には引掛部１３と同方向に突出する押さえ片１４が形成されている。押さえ片１４の形状は、図１の実施形態例では引掛部１３の一部が切り起こされて外方に折り返されてなり、反発弾性が生じるようになされている。
【００１１】
横樋本体２は鋼、アルミ合金等の金属や、ポリ塩化ビニル、ＦＲＰ等の合成樹脂等からなり、横樋本体２の両縁部２１の上端が一旦内側に折り返され、さらに下方に折り返されて嵌合部２２が形成されている。その嵌合部２２は吊下具１の引掛部１３と互いに引掛けられるようになされており、したがって吊下具１の引掛部１３が内方に折り返されている場合には、嵌合部２１は両縁部２１の外側に折り返されて形成されればよい。
【００１２】
また、横樋本体２の嵌合部２２には係止部２３が形成されている。係止部２３は吊下具１の押さえ片１４の先端が係止されるようになされる。ここにおいて係止部２３の形状としては、図２のごとき凹溝であってもよいし、突条や凹凸の繰り返し等、吊下具１の押さえ片１４の先端が横樋本体２の係止部２３に確実に係止されて、軒樋３に対して横樋２が安定して取り付けられる構造となされたものであればよい。
【００１３】
また、軒樋３は簡易上屋の軒に取着された化粧フレームを兼ねたものであり、アルミニウムやステンレススチール，樹脂被覆鋼板製、あるいは合成樹脂等通常使用されるものであればよい。なお、図中３１は軒樋３から横樋２への排水口、２４は横樋２の端部に固定される端部キャップである。
【００１４】
【実施例】
次に、本発明の実施例について詳述する。まず、吊下具１として厚さ０．５ｍｍのステンレス鋼板を使用し、支持部１１の両端の吊下部１２間の間隔が７５ｍｍ、支持部１１の幅が２０ｍｍとなされている。また、吊下部１２は高さが２０ｍｍ、引掛部１３の高さが７ｍｍ、吊下部１２と引掛部１３の間隔が８ｍｍとなされている。そして、引掛部１３の中程には幅８ｍｍ、高さ３ｍｍの押さえ片１４が切り起こしにより形成されている。
【００１５】
横樋本体２はアルミの押し出し型材であって、高さが５０ｍｍ、横樋本体２の上端の両縁部２１間の間隔が１００ｍｍとなされている。また嵌合部２２は高さが１２ｍｍ、縁部２１との間隔が１２ｍｍとなされており、嵌合部２２の内壁には凹溝状の係止部２３が形成されており、その係止部２３の深さは０．８ｍｍ、溝幅は１．５ｍｍとなされている。
【００１６】
しかして吊下具１の一つを簡易上屋の長手方向側面に設けられた２列の一方の軒樋３の排水口３１の近傍にネジ止め等により固定し、他の吊下具１を上屋側面のもう一方の軒樋３に同様に固定後、両吊下具１の下方から横樋本体２をあてがい横樋本体２の嵌合部２２を吊下具１の引掛部１３に引っ掛けて固定すればよく、さらに嵌合部２２の係止部２３を引掛部１３の押さえ片１４の先端に当接させればよく、このように組み立てることにより横樋本体２の両嵌合部２２が係止部２３を介して吊下具１の引掛部１３の内壁と押さえ片１４とで強固に挟着され、横樋本体２が吊下具１に固定される。
【００１７】
【発明の効果】
以上詳述した如く、本発明簡易上屋用横樋の構造は、上屋の軒裏に取着される吊下具と横樋本体とからなり、吊下具は水平方向の支持部とその支持部両端から下方に吊下部が垂下され、吊下部の先端が上方に折り返されて引掛部となされ、横樋本体は両縁部が下方に折り返されて嵌合部となされ、その嵌合部が引掛部に引掛けられるので、簡易上屋の所定位置に吊下具を先に取着し、この吊下具に横樋本体を嵌合するだけで組み立てることができ、従来のごとく長尺の横樋を支えながら直接簡易上屋に取り付けるのに比べて作業性よく組み立てができる。
【００１８】
また本発明簡易上屋用横樋の構造は、吊下具の吊下部に引掛部と同方向に突出する押さえ片が形成されているので、吊下部に横樋本体の嵌合部が引掛けられた際に横樋本体に形成された嵌合部が吊下具の引掛部と押さえ片とで強固に挟着一体化され、軒樋に対して横樋本体を確実にかつ強固に取り付けることができ、横樋本体ががたついたり、ずれたりせず好ましい。
【００１９】
さらに本発明簡易上屋用横樋の構造は、横樋本体の嵌合部に係止部が形成されているので、それらの係止部に吊下具の押さえ片が係止されて、なおさら横樋本体のがたつきやずれが抑制されることになり一層好ましい。
【図面の簡単な説明】
【図１】  本発明を適用した簡易上屋の実施形態の例の斜視図である。
【図２】  図１の本発明簡易上屋用横樋の構造の、要部を示す分解構造斜視図である。
【図３】  従来の他の例を示す分解構造斜視図である。
【符号の説明】
１    吊下具
１１  支持部
１２  吊下部
１３  引掛部
１４  押さえ片
２    横樋本体
２１  縁部
２２  嵌合部
２３  係止部
２４  端部キャップ
３    軒樋
３１  排水口
４    縦樋
【図１】
0003792102.tif 000002
【図２】
0003792102.tif 000003
【図３】
0003792102.tif 000004